(57)【要約】【課題】ゆるみ防止セットキャップ式ボルト・ナット構造の提供。【解決手段】セットキャップ式ボルト・ナットおよび伸縮ソケットから組成され、当該伸縮ソケット外壁の適切な位置に数個の外向きフック、中段ストッパー、フランジおよび弾性スリットが設けられ、先端部の内壁には止め輪があり、内壁の適切な位置には内向きフックがあり、セットキャップ式ナットの内部は伸縮ソケット装着用の空間を具備しており、セットキャップ式ボルトの先端の横切り断面が楕円形を呈していることを特徴としており、；上述の構造により、まず先に当該伸縮ソケットをセットキャップ式ナットに埋め込み、被締め付け物体をセットキャップ式ボルト・ナットの間に設置し、セットキャップ式ボルトを９０度回転させると当該物体が固定され、取外しに当たってはセットキャップ式ボルトを逆方向に９０度回転させることによりボルト解除でき、使用に当たり非常に便利なゆるみ防止セットキャップ式ボルト・ナット構造である。【選択図】図１
0003118451.tif 000002
【実用新案登録請求の範囲】
【請求項１】
セットキャップ式ボルト・ナットおよび伸縮ソケットから組成され、当該伸縮ソケット外壁の適切な位置に数個の外向きフック、中段ストッパー、フランジおよび弾性スリットが設けられ、先端部の内壁には止め輪があり、内壁の適切な位置には内向きフックがあり、セットキャップ式ナットの内部は伸縮ソケット装着用の空間を具備しており、セットキャップ式ボルトの先端の横切り断面が楕円形を呈していることを特徴とするゆるみ防止セットキャップ式ボルト・ナット構造。
【請求項２】
セットキャップ式ボルトの先端部の楕円形の表面にはねじ山が切られており、ねじ山の二側面は内向きフックの作用を促すフラット面があり、ねじ頭はスリ割りが設けられている、請求項１で述べられたゆるみ防止セットキャップ式ボルト・ナット構造。
【請求項３】
セットキャップ式ボルトのねじ頭の外周に摩擦力を増すための外周溝が設けられているような、請求項２で述べられたゆるみ防止セットキャップ式ボルト・ナット構造。
【請求項４】
セットキャップ式ナットのねじ頭にスリ割りが設けられている、請求項１で述べられたゆるみ防止セットキャップ式ボルト・ナット構造。
【請求項５】
セットキャップ式ナットのねじ頭の外周に摩擦力を増すための外周溝が設けられているような、請求項４で述べられたゆるみ防止セットキャップ式ボルト・ナット構造。
【請求項６】
伸縮ソケットが一体成形の管状を呈し、伸縮ソケット外壁の先端には数個の外向きフック、中段には中段ストッパー、そして別の先端には管口から突出したフランジ、および当該伸縮ソケットが受けた圧力を吸収するため内向きに収縮可能な弾性スリットが設けられ、最先端部の内壁にはセットキャップ式ボルト先端のねじ山を受け止める止め輪があり、内壁における適切な位置には内向きフックが設けられている、請求項１で述べられたゆるみ防止セットキャップ式ボルト・ナット構造。
【考案の詳細な説明】
【技術分野】
【０００１】
本考案は特に、セットキャップ式ボルト・ナットおよび伸縮ソケットから組成されたセットキャップ式ボルト・ナット構造であり、迅速にボルト結合および解除でき、操作上非常に簡単で且つ締め付け後にゆるみにくいゆるみ防止セットキャップ式ボルトナット構造に関するものである。
【背景技術】
【０００２】
現在市場において使用されているセットキャップ式ボルト・ナットは、被締め付け物体をその間にはさむタイプであり、第一図を参照してもわかるように、すべてはナットａ内に設けられたねじ山ａ１を利用し、ボルトｂの先端にはナットａのねじ山ａ１に呼応するねじ山ｂ１を設けて、使用に当たり、被締め付け物体cをボルトｂとナットａの間に置き、ナットａを当該被締め付け物体cにあらかじめ設けられた固定孔c１に圧入して、ボルトｂと噛合わせて固定するものである。被締め付け物体cを緊密に固定するため、ボルトｂをそのねじ頭ｂ２とナットａのねじ頭ａ２が完全に被締め付け物体cの表面に接合するまで締め付ける必要があり、ゆえに、被締め付け物体cの厚みが比較的薄い場合には、ボルトｂの締め付け回転数を増加させなければ被締め付け物体を固定することができない。このほか、操作の便を図るため、通常ボルトｂのねじ山ｂ１はナットａのねじ山ａ１よりも小さくなるように製作されているので、ゆるみ現象が発生しやすく、以上の点で改良が待たれていた。
【考案の開示】
【考案が解決しようとする課題】
【０００３】
簡単に結合および解除が可能で、簡単操作で締め付け後にゆるみにくいボルト・ナット構造を提供するのが、本考案における主な目的である。
【０００４】
上述の目的を達成するために、本考案ゆるみ防止セットキャップ式ボルト・ナット構造は、セットキャップ式ボルト・ナットおよび伸縮ソケットから組成され、当該伸縮ソケット外壁の先端には数個の外向きフック、中段には中段ストッパー、そして別の先端には管口から突出したフランジ、および弾性スリットが設けられ、最先端部の内壁には止め輪があり、内壁の適切な位置には内向きフックがあり、セットキャップ式ナットの内部は伸縮ソケット装着用の空間を具備しており、セットキャップ式ボルトの先端の横切り断面が楕円形を呈し、その楕円形の表面にはねじ山が切られており、ねじ山の側面は内向きフックを作用させるためにフラット面になっており、さらに伸縮ソケットはあらかじめセットキャップ式ナットに埋め込み可能となっている。
【０００５】
上述の構造により、使用前において伸縮ソケットをセットキャップ式ナットの装着空間に埋め込むに当たり、当該伸縮ソケットの外径は当該装着空間よりもやや大きめにできており、しかも伸縮ソケット外壁には弾性スリットが設けられていることから、伸縮ソケットをセットキャップ式ナットに挿入するに当たり、その体積は微妙に縮小されて当該装着空間に嵌合可能となり、伸縮ソケット先端部の外向きフック、中段の中段ストッパー、別の先端のフランジを利用して、脱落することなく緊密にセットキャップ式ナットの内壁に嵌め込むことができる。使用に当たり、先にセットキャップ式ナットを被締め付け物体上に穿たれた固定孔に圧入し、セットキャップ式ボルトを一定の方向に従いセットキャップ式ナットに挿入するが、当該伸縮ソケットの内向きフックがセットキャップ式ボルトのフラット面に来るとスムーズに圧入できる。そしてセットキャップ式ボルトのねじ山と伸縮ソケットの止め輪を噛合わせ、さらにセットキャップ式ボルトを９０度回転すると、当該セットキャップ式ボルトの楕円形の表面が内向きフックによりサポートされ、当該ねじ山は止め輪により緊密に結合されて、セットキャップ式ボルト・ナットの簡単結合・解除の目的を達成できることになる。内向きフックはある程度の弾性を有しているので、セットキャップ式ボルトの表面を恒常的にサポートし、さらにセットキャップ式ボルトにおける適切な位置にあるねじ山も伸縮ソケットの止め輪によって結合されるので、セットキャップ式ボルト・ナットの結合後におけるゆるみ防止という目的を達成する。
【課題を解決するための手段】
【０００６】
請求項１の考案は、セットキャップ式ボルト・ナットおよび伸縮ソケットから組成され、当該伸縮ソケット外壁の適切な位置に数個の外向きフック、中段ストッパー、フランジおよび弾性スリットが設けられ、先端部の内壁には止め輪があり、内壁の適切な位置には内向きフックがあり、セットキャップ式ナットの内部は伸縮ソケット装着用の空間を具備しており、セットキャップ式ボルトの先端の横切り断面が楕円形を呈していることを特徴とする「ゆるみ防止セットキャップ式ボルト・ナット構造」としている。
請求項２の考案は、セットキャップ式ボルトの先端部の楕円形の表面にはねじ山が切られており、ねじ山の二側面は内向きフックの作用を促すフラット面があり、ねじ頭はスリ割りが設けられている、請求項１で述べられたゆるみ防止セットキャップ式ボルト・ナット構造としている。
請求項３の考案は、セットキャップ式ボルトのねじ頭の外周に摩擦力を増すための外周溝が設けられているような、請求項２で述べられたゆるみ防止セットキャップ式ボルト・ナット構造としている。
請求項４の考案は、とセットキャップ式ナットのねじ頭にスリ割りが設けられている、請求項１で述べられたゆるみ防止セットキャップ式ボルト・ナット構造している。
請求項５の考案は、セットキャップ式ナットのねじ頭の外周に摩擦力を増すための外周溝が設けられているような、請求項４で述べられたゆるみ防止セットキャップ式ボルト・ナット構造としている。
請求項６の考案は、伸縮ソケットが一体成形の管状を呈し、伸縮ソケット外壁の先端には数個の外向きフック、中段には中段ストッパー、そして別の先端には管口から突出したフランジ、および当該伸縮ソケットが受けた圧力を吸収するため内向きに収縮可能な弾性スリットが設けられ、最先端部の内壁にはセットキャップ式ボルト先端のねじ山を受け止める止め輪があり、内壁における適切な位置には内向きフック３６が設けられている、請求項１で述べられたゆるみ防止セットキャップ式ボルト・ナット構造としている。
【考案の効果】
【０００７】
本考案は、先に伸縮ソケットがセットキャップ式ナット内部に埋め込まれ、そのセットキャップ式ボルトの特殊形状が伸縮ソケットと一体となりボルト結合されるゆるみ防止セットキャップ式ボルト・ナット構造である。簡単操作で、しかもボルト結合・解除が迅速、加えて締め付け後のゆるみ防止機能をも有する。
【考案を実施するための最良の形態】
【０００８】
第２図、第３図、第４図に示すように、本考案であるゆるみ防止セットキャップ式ボルト・ナット構造は、先端部の横切り断面が楕円形を呈し、その楕円形の表面にはねじ山１１が切られており、ねじ山の二側面は内向きフック３６の作用を促すフラット面１２があり、ねじ頭１３はドライバーの回転の便を図るためにスリ割り１３ａが設けられており、或いは手動回転の便を図るためにねじ頭１３の外周に摩擦力を増すための外周溝１３ｂが設けられているようなセットキャップ式ボルト１０である。
【０００９】
内部に伸縮ソケット３０に呼応する形状の装着空間２１を具備し、ねじ頭２２はドライバーの回転の便を図るためにスリ割り２２ａが設けられており、或いは手動回転の便を図るためにねじ頭２２の外周に摩擦力を増すための外周溝２２ｂが設けられているようなセットキャップ式ナット２０である。
【００１０】
一体の管状を呈し、伸縮ソケット３０外壁の先端には数個の外向きフック３１、中段には中段ストッパー３２、そして別の先端には管口から突出したフランジ３３、および当該伸縮ソケット３０が受けた圧力を吸収するため内向きに収縮可能な弾性スリット３4が設けられ、最先端部の内壁にはセットキャップ式ボルト先端のねじ山を受け止める止め輪３５があり、内壁において外向きフックと相対する適切な位置には内向きフック３６が設けられている伸縮ソケット３０から組成されている。
【００１１】
装着に当たり、あらかじめ伸縮ソケット３０をセットキャップ式ナット２０の装着空間２１に埋め込むに当たり、当該伸縮ソケット３０の外径は当該装着空間２１よりもやや大きめにできており、しかも伸縮ソケット３０外壁には弾性スリット３4が設けられていることから、伸縮ソケット３０をセットキャップ式ナット２０に挿入するに当たり、その体積は微妙に縮小されて当該装着空間２１に嵌合可能となり、伸縮ソケット３０先端部の外向きフック３１、中段の中段ストッパー３２および別の先端のフランジ３３を利用して、脱落することなく緊密にセットキャップ式ナット２０の内壁に嵌め込むことができる。
【００１２】
第５図、第６図に示すように、使用に当たり、先にセットキャップ式ナット２０を被締め付け物体上に穿たれた固定孔に圧入し、セットキャップ式ボルト１０を一定の方向に従いセットキャップ式ナット２０に挿入するが、当該伸縮ソケット３０の内向きフック３６がセットキャップ式ボルト１０のフラット面に来るとスムーズに圧入できる。そしてセットキャップ式ボルト１０のねじ山１１と伸縮ソケット３０の止め輪３５を噛合わせ、さらにセットキャップ式ボルトを９０度回転すると、当該セットキャップ式ボルト１０の楕円形の表面が内向きフック３６によりサポートされ、当該ねじ山１１は止め輪３５により緊密に結合されて、セットキャップ式ボルト１０・ナット２０の簡単結合・解除の目的を達成できることになる。
【００１３】
上述の内容を総合すると本考案は、先に伸縮ソケットがセットキャップ式ナット内部に埋め込まれ、そのセットキャップ式ボルトの特殊形状が伸縮ソケットと一体となりボルト結合されるゆるみ防止セットキャップ式ボルト・ナット構造である。簡単操作で、しかもボルト結合・解除が迅速、加えて締め付け後のゆるみ防止機能をも有する。
【図面の簡単な説明】
【００１４】
【図１】従来型の立体構造図である。
【図２】本考案における立体分解図である。
【図３】本考案における立体組合せ図である。
【図４】本考案におけるセットキャップ式ナットと伸縮ソケットの組合せ断面図である。
【図５】本考案における使用図（一）である。
【図６】本考案における使用図（二）である。
【符号の説明】
【００１５】
１０  セットキャップ式ボルト
１１  ねじ山
１２  フラット面
１３、２２  ねじ頭
１３ａ、２２ａ  スリ割り
１３ｂ、２２ｂ  外周溝
２０  セットキャップ式ナット
３０  伸縮ソケット
３１  外向きフック
３２  中段ストッパー
３３  フランジ
３４  弾性スリット
３５  止め輪
３６  内向きフック
【図１】
0003118451.tif 000003
【図２】
0003118451.tif 000004
【図３】
0003118451.tif 000005
【図４】
0003118451.tif 000006
【図５】
0003118451.tif 000007
【図６】
0003118451.tif 000008